(57)【特許請求の範囲】
【請求項１】
開閉可能な形状を備える充電式電話端末の電源制御装置であって、
外部からの充電式電話端末への電圧印加が断たれたことを検知する検知手段と、
前記検知手段により前記検知がなされた場合に前記充電式電話端末を電源オン状態にする電源オン手段と、
前記充電式電話端末の開閉状態が変化したことを検出する開閉変化検出手段とを備え、
前記電源オン手段は、前記検知手段により前記検知がなされた時から所定時間が経過するまでの間に前記開閉変化検出手段により開閉状態の変化が検出されたときに限り前記充電式電話端末を電源オン状態にする
ことを特徴とする電源制御装置。
【請求項２】
充電式電話端末の電源制御装置であって、
充電式電話端末が充電器から取り外されたことを検知する検知手段と、
前記検知手段により前記検知がなされた場合に前記充電式電話端末を電源オン状態にする電源オン手段とを備え、
前記電源オン手段は、前記充電式電話端末に内蔵される電池の電圧が所定値以上に充電されている場合に限り前記充電式電話端末を電源オン状態にする
ことを特徴とする電源制御装置。
【請求項３】
前記電源制御装置は、
不揮発性メモリと、
電源オン制御機能を使用するか否かを示す設定情報のユーザによる入力を受け付けて当該設定情報を前記不揮発性メモリに格納する設定情報登録手段とを備え、
前記電源オン手段は、前記不揮発性メモリに格納されている設定情報が電源オン制御機能を使用する旨を示すときに限り前記充電式電話端末を電源オン状態にする
ことを特徴とする請求項１又は２記載の電源制御装置。
【請求項４】
前記充電式電話端末は、充電式携帯電話機であり、
前記電源制御装置は、前記充電式携帯電話機に内蔵される
ことを特徴とする請求項１〜３のいずれか１項に記載の電源制御装置。
【請求項５】
ＣＰＵを備えており開閉可能な形状を備える充電式電話端末に、電源制御処理を行わせるためのコンピュータプログラムを記録した記録媒体であって、
前期電源制御処理は、
外部からの前記充電式電話端末への電圧印加が断たれたか否かを判定する電圧印加判定ステップと、
前記電圧印加判定ステップにより前記電圧印加が断たれたと判定された場合に前記充電式電話端末を電源オン状態にするよう制御する電源オンステップと、
前記充電式電話端末の開閉状態が変化したか否かを判定する開閉変化判定ステップとを含み、
前記電源オンステップは、前記電圧印加判定ステップにより前記電圧印加が断たれたと判定された時から所定時間が経過するまでの間に前記開閉変化判定ステップにより開閉状態が変化したと判定されたときに限り前記充電式電話端末を電源オン状態にするよう制御する
ことを特徴とする記録媒体。
【請求項６】
ＣＰＵを備える充電式電話端末に、電源制御処理を行わせるためのコンピュータプログラムを記録した記録媒体であって、
前期電源制御処理は、
前記充電式電話端末が充電器から取り外されたか否かを判定する判定ステップと、
前記判定ステップにより充電器から取り外されたと判定された場合に前記充電式電話端末を電源オン状態にするよう制御する電源オンステップとを含み、
前記電源オンステップは、前記充電式電話端末に内蔵される電池の電圧が所定値以上に充電されているか否かを判定して、所定値以上に充電されている場合に限り前記充電式電話端末を電源オン状態にするよう制御する
ことを特徴とする記録媒体。
【発明の詳細な説明】
【０００１】
【発明の属する技術分野】
本発明は、充電式の電話端末に関し、特に電話端末の電源オン（ＯＮ）／オフ（ＯＦＦ）制御のための技術に関する。
【０００２】
【従来の技術】
携帯電話機は、電源としてリチウムイオン２次電池、ニッケル水素２次電池、或いはニッケルカドミウム電池等を内蔵しており、携帯電話機を外部の充電器に繋いで充電することができる。なお、携帯電話機のユーザは充電時間の短縮等のために携帯電話機の電源スイッチをオフにした状態（以下、「電源オフ状態」という。）で充電を開始する場合がある。
【０００３】
従来、電源オフ状態で携帯電話機を充電器に繋いで充電をした場合には、携帯電話機の充電に関する充電機能のみが用いられ、充電完了の際に携帯電話機を充電器から取り外すと携帯電話機は電源オフ状態のままとなる。
即ち、従来の携帯電話機は、充電器に接続されているか否かを検出する接続検出回路を有し、電源オフ状態で充電器と接続されると、接続検出回路が充電器との接続を検出してこの接続検出を契機としてＣＰＵを起動しソフトウェア制御によって充電機能のみを実行するようにつくられており、また、電源オフ状態で充電器に接続されて充電された後に充電器から外されると、接続検出回路が充電器から接続されていないことを検出するのでこの検出時点でＣＰＵを停止して電源オフ状態になるようにつくられている。
【０００４】
なお、携帯電話機の、着信を待つ機能や通話をする機能は、電源オフ状態では利用できない。
従って、携帯電話機のユーザは、充電器から取り外した後に、着信を待つ機能や通話をする機能を利用したい場合には、例えば携帯電話機の電源ボタンをしばらく押す操作等の、電源スイッチをオンにする操作を行わなければならない。電源スイッチがオンにされた状態（以下、「電源オン状態」という。）になれば一般的な携帯電話機は、着信を待つ、いわゆる待ち受け状態になり、この状態において着信があるとユーザは通話を行うことができるようになる。
【０００５】
【発明が解決しようとする課題】
しかしながら、この電源スイッチをオンにする操作が煩わしいと感じるユーザもいる。
そこで、本発明は、かかる操作性の改善を図るべくなされたものであり、電源オフ状態で充電した携帯電話機等の電話端末を充電器から取り外した後に、ユーザが電源スイッチをオンにする操作を行わなくても着信を待つ機能や通話をする機能を利用できるようにする、充電式電話端末の電源制御装置を提供することを目的とする。
【０００６】
【課題を解決するための手段】
上記課題を解決するために、本発明に係る充電式電話端末の電源制御装置は、外部からの充電式電話端末への電圧印加が断たれたことを検知する検知手段と、前記検知手段により前記検知がなされた場合に前記充電式電話端末を電源オン状態にする電源オン手段とを備えることを特徴とする。
【０００７】
この電源オン状態は、ユーザが充電式電話端末の電源スイッチを操作してオンにしたときと同様の状態であって、いわゆる待ち受け状態等を含む状態である。上記構成により、充電式電話端末が充電器等の電力供給源から取り外される等により電力の供給を受けなくなった後、即ち電圧印加を受けなくなった後に、ユーザが電源スイッチをオンにする操作を行わなくても、電源制御装置が充電式電話端末への外部からの電圧印加が断たれたことを検知すると電源オン状態にするため、ユーザは煩わしい操作をすることなく充電器等から充電式電話端末を取り外すだけで充電式電話端末の着信を待つ機能等を利用できるようになる。
【０００８】
また、本発明に係る充電式電話端末の電源制御装置は、充電式電話端末が充電器から取り外されたことを検知する検知手段と、前記検知手段により前記検知がなされた場合に前記充電式電話端末を電源オン状態にする電源オン手段とを備えることを特徴とする。
上記構成により、充電式電話端末が充電器から取り外されたことを検知すると、電源制御装置が充電式電話端末を電源オン状態にするため、ユーザは煩わしい操作をすることなく充電式電話端末の着信を待つ機能等を利用できるようになる。
【０００９】
【発明の実施の形態】
以下、本発明に係る充電式電話端末の電源制御装置の実施の形態について、図面を用いて説明する。
＜実施の形態１＞
＜構成＞
図１は、本発明の実施の形態１に係る携帯電話機１００の機能ブロック図である。なお、同図には携帯電話機１００の他に充電器２００を示している。また、同図では太線により電力供給用の配線を示している。
【００１０】
同図に示すように携帯電話機１００は、接続検出回路１１０、電源回路１２０、制御部１３０、送受信回路１５０、キー処理回路１６０及び液晶ディスプレイ（ＬＣＤ）１７０を備える。
ここで、接続検出回路１１０は、充電器から電源回路１２０に対して電圧が印加されているか否かを検出し制御部１３０に伝える回路である。
【００１１】
電源回路１２０は、電池１２１を含み、充電処理部１３１或いは電源制御部１３２の制御を受けて、電池１２１への充電や電池１２１からの携帯電話機各部への電力供給を行う回路である。ここで、電池１２１は、携帯電話機１００の電源となる充電可能な電池であって、例えばリチウムイオン２次電池である。
送受信回路１５０は、マイクから入力された音声信号を圧縮符号化し変調等して無線信号にしアンテナから送信するとともに、アンテナから受信した無線信号を復調、復号等して音声信号にしてスピーカから出力する機能や、無線基地局と間で制御信号をやり取りするための機能を備える回路である。
【００１２】
キー処理回路１６０は、ユーザによる携帯電話機のキー押下を検出して制御部１３０に伝える回路であり、ＬＣＤ１７０は、制御部１３０から伝えられた文字その他の画像を表示するものである。
制御部１３０は、携帯電話機１００の各部を制御するものであり、ハードウェア的にはＣＰＵ、メモリ等で構成され、機能的には充電処理部１３１、電源制御部１３２、設定情報格納部１３３及び基本処理部１４０を有する。なお、制御部１３０の各機能は、メモリ自体、或いはメモリに格納された制御プログラムがＣＰＵに実行されることにより実現される。また、制御部１３０は、接続検出回路１１０から充電器からの電圧印加の開始が検出されたことをハードウェア割込みにより伝えられると充電処理部１３１を起動し、充電器からの電圧印加が断たれたことが検出されたことをハードウェア割込みにより伝えられると電源制御部１３２を起動する。
【００１３】
充電処理部１３１は、従来の充電式携帯電話機と同様に、充電器から電圧が印加されている間において電源回路１２０を制御する等により充電機能を実現する部分である。
設定情報格納部１３３は、不揮発性メモリの一領域であり、充電器から携帯電話機を取り外した際に自動的に電源オン状態にする機能（以下、「自動電源オン機能」という。）を使用するか否かを示す設定情報を格納するための領域である。なお、設定情報は、例えば、１ビットの情報であり、自動電源オン機能を使用することを１という値で表し、自動電源オン機能を使用しないことを０という値で表す。
【００１４】
電源制御部１３２は、設定情報格納部１３３に格納されている設定情報に基づいて、充電器からの電圧印加が断たれた時において携帯電話機を電源オフ状態又は電源オン状態にするための制御をする機能を有する。この制御は後述する電源制御処理の実行により実現される。
基本処理部１４０は、電源オン状態において利用可能な各種機能を実現するものであり、通信制御部１４１と設定登録部１４２とを含む。ここで、通信制御部１４１は、従来の携帯電話機における一般の通信制御を行う通話や着信を待つ機能を実現するものであり、必要に応じて送受信回路１５０を制御する。また、設定登録部１４２は、ＬＣＤ１７０及びキー処理回路１６０を用いて設定情報をユーザに指定させるためのユーザインタフェースを実現して、指定された設定情報を設定情報格納部１３３に格納するものである。
【００１５】
図２は、設定登録部１４２によりＬＣＤ１７０に表示される画面の例を示す図である。
同図に示す画面は、例えばユーザが携帯電話機に特定のキー操作を行うことにより表示され、この画面が表示された状態でユーザは携帯電話機における方向を指定するためのキーを押下すること等により、充電器から携帯電話機が取り外されたときに自動電源オン機能を使用するか否かを選択することができる。
【００１６】
＜動作＞
以下、上述の構成を備える携帯電話機１００の動作について説明する。なお、ここでは電源オフ状態で充電が開始されたときにおける動作を説明する。
携帯電話機１００は、充電器に接続されているときには充電処理部１３１により電池１２１への充電の制御を行い、充電器から取り外されたときに電源制御処理を行う。
【００１７】
図３は、携帯電話機１００の行う電源制御処理を示すフローチャートである。
携帯電話機１００の接続検出回路１１０が外部からの電圧印加が行われなくなったことを検出するまでは、制御部１３０はその検出を待ちつつ（ステップＳ１１）、充電処理部１３１により充電制御を行う。
電圧印加が行われなくなったことを検出すると、制御部１３０は電源制御部１３２を起動し、電源制御部１３２は、設定情報格納部１３３に格納されている設定情報が自動電源オン機能を使用する旨を示すか否かを判定する（ステップＳ１２）。
【００１８】
ステップＳ１２において、設定情報が自動電源オン機能を使用する旨を示すと判定した場合には電源制御部１３２は、電源オン処理を行い（ステップＳ１３）、電源制御処理を終了する。この電源オン処理は、電源回路１２０に携帯電話機１００の各部への電力供給を行わせるとともに、基本処理部１４０を起動して電源制御部１３２の動作を停止する処理であり、このステップＳ１３の電源オン処理が行われると、電源オン状態となり通信制御部１４１の通信制御により、いわゆる待ち受け状態になる。
【００１９】
なお、電源オン状態においてユーザがテンキーを押下してダイアルする等、特定のキー操作を行うと基本処理部１４０は通信制御部１４１に送受信回路１５０を制御させてユーザが通話できるようにする。また、電源オン状態においてユーザが別の特定のキー操作を行うと基本処理部１４０は設定登録部１４２にユーザによる自動電源オン機能の要否の選択を受け付けさせる。
【００２０】
ステップＳ１２において、設定情報が自動電源オン機能を使用しない旨を示すと判定した場合には電源制御部１３２は、電源オフ処理を行い（ステップＳ１４）、電源制御処理を終了する。このステップＳ１４の電源オフ処理は、従来の充電式携帯電話機が行っている処理と同様であり、携帯電話機１００の各部への電力供給を停止させるよう電源回路１２０を制御する処理である。なお電源オフ処理を実行すると、制御部１３０を構成するＣＰＵへの電源供給も停止するため制御部１３０は動作しなくなる。
＜実施の形態２＞
以下、本発明の実施の形態２に係る携帯電話機６００について説明する。
【００２１】
実施の形態１で説明した携帯電話機１００が、充電器から外された時に電源オン状態にし得る自動電源オン機能を有するのに対して、実施の形態２に係る携帯電話機６００は、充電器から外された後、所定時間経過前に蓋（フリップ）が開かれた場合に電源オン状態にし得る自動電源オン機能を有する点が異なる。
図４は、実施の形態２に係る携帯電話機６００の自動電源オン機能を説明するための図である。
【００２２】
携帯電話機６００は、状態５０１では充電器２００に接続されており、状態５０２では充電器から取り外されており、状態５０３ではフリップが開かれている。携帯電話機６００は、自動電源オン機能を使用する旨がユーザにより設定されている場合には、電源オフ状態で充電器２００に接続されても、ユーザの操作により状態５０１から状態５０３へと一定時間内に状態が変えられたならば電源オン状態に変化する。
【００２３】
＜構成＞
図５は、本発明の実施の形態２に係る携帯電話機６００の機能ブロック図である。なお、同図には携帯電話機６００の他に充電器２００を示している。また、同図に示した携帯電話機６００の構成要素のうち実施の形態１で示したものと同一のものには、実施の形態１と同じ符号を付しており、これらについてはここでは詳しい説明を省略する。
【００２４】
同図に示すように携帯電話機６００は、接続検出回路１１０、電源回路１２０、制御部６３０、計時回路６８０、開閉検出部６９０、送受信回路１５０、キー処理回路１６０及びＬＣＤ１７０を備える。
ここで、計時回路６８０は、時間経過を計測するいわゆるタイマーであり、制御部６３０から時間の指定と計測開始の指示とを受けて、その指定された時間の経過時にＣＰＵに対して割込みをかける等によって制御部６３０に時間経過を伝える機能を有する。
【００２５】
開閉検出部６９０は、フリップが閉じられた状態から開かれた状態に変化したことを検出して、フリップが開かれた旨をＣＰＵに対して割込みをかける等によって制御部６３０に伝える機能を有するものであり、この検出は例えば、フリップの開閉によって物理的接点が開いたり閉じたりするスイッチを用いて、接点が閉じたときにのみ特定の回路へ電流が流れるような構造を利用することによって行われる。
【００２６】
制御部６３０は、携帯電話機６００の各部を制御するものであり、ハードウェア的にはＣＰＵ、メモリ等で構成され、機能的には充電処理部１３１、電源制御部６３２、設定情報格納部１３３及び基本処理部１４０を有する。なお、制御部６３０の各機能は、メモリ自体、或いはメモリに格納された制御プログラムがＣＰＵに実行されることにより実現される。また、制御部６３０は、接続検出回路１１０から充電器からの電圧印加の開始が検出されたことをハードウェア割込みにより伝えられると充電処理部１３１を起動し、充電器からの電圧印加が断たれたことが検出されたことをハードウェア割込みにより伝えられると電源制御部６３２を起動し、電源制御部６３２を起動している間においては計時回路６８０及び開閉検出部６９０からの通知を電源制御部６３２に伝える。
【００２７】
電源制御部６３２は、設定情報格納部１３３に格納されている設定情報に基づき、充電器からの電圧印加が断たれた時において携帯電話機を電源オフ状態又は電源オン状態にするための制御をする機能を有する。なお、電源制御部６３２は、開閉検出部６９０からフリップが開かれた旨の通知を受けることと計時回路６８０を用いて一定の時間経過を検出することとにより、電源オン状態にするための制御、つまり電源制御処理を行う。
【００２８】
＜動作＞
以下、上述の構成を備える携帯電話機６００の動作について説明する。なお、ここでは電源オフ状態で充電が開始されたときにおける動作を説明する。
携帯電話機６００は、充電器に接続されているときには充電処理部１３１により電池１２１への充電の制御を行い、充電器から取り外されたときに電源制御処理を行う。
【００２９】
図６は、携帯電話機６００の行う電源制御処理を示すフローチャートである。携帯電話機６００の接続検出回路１１０が外部からの電圧印加が行われなくなったことを検出するまでは、制御部６３０はその検出を待ちつつ（ステップＳ２１）、充電処理部１３１により充電制御を行う。
電圧印加が行われなくなったことを検出すると、制御部６３０は電源制御部６３２を起動し、電源制御部６３２は、設定情報格納部１３３に格納されている設定情報が自動電源オン機能を使用する旨を示すか否かを判定する（ステップＳ２２）。
【００３０】
ステップＳ２２において、設定情報が自動電源オン機能を使用する旨を示すと判定した場合には電源制御部１３２は、計時回路６８０に対して３０秒を設定しタイマー動作を開始するように指示を与え（ステップＳ２３）、３０秒が経過する迄、開閉検出部６９０からのフリップが開かれた旨の通知を待つ（ステップＳ２４、Ｓ２５）。
【００３１】
ステップＳ２５において３０秒が経過したことの通知を計時回路６８０から受けた場合、及びステップＳ１２において設定情報が自動電源オン機能を使用しない旨を示すと判定した場合には、電源制御部６３２は電源オフ処理を行い（ステップＳ２７）、電源制御処理を終了する。なお、ステップＳ２７の電源オフ処理は、従来の充電式携帯電話機が行っている処理と同様であり、携帯電話機６００の各部への電力供給を停止させるよう電源回路１２０を制御する処理である。なお電源オフ処理を実行すると、制御部６３０を構成するＣＰＵへの電源供給も停止するため制御部６３０は動作しなくなる。
【００３２】
ステップＳ２４においてフリップが開かれた旨の通知を受けたと判定した場合には、電源制御部６３２は、電源オン処理を行い（ステップＳ２６）、電源制御処理を終了する。このステップＳ２６の電源オン処理は、電源回路１２０に携帯電話機６００の各部への電力供給を行わせるとともに、基本処理部１４０を起動して電源制御部６３２の動作を停止する処理であり、この電源オン処理が行われると、電源オン状態となり通信制御部１４１の通信制御により、いわゆる待ち受け状態になる。
【００３３】
以上説明した動作により、電源オフ状態で充電されている携帯電話機６００は、自動電源オン機能の使用が指定されている場合であっても、外部からの電圧印加が停止した後、３０秒以内にユーザがフリップを開けるという操作をした場合に限り電源オン状態になる。これにより、停電が起こった場合や、充電器が過充電を防止するために充電完了時に電力供給を停止するような場合等、ユーザが携帯電話機を使用したいという意思をもっていると想定されない場合にまで電源オン状態にすることを防止することができる。
＜補足＞
以上、本発明に係る充電式電話端末の電源制御装置について、実施の形態１、２に基づいて説明したが、本発明はこれらの実施の形態に限られないことは勿論である。即ち、
（１）両実施の形態では、電源制御部とこれに関連して自動電源オン機能を実現する部分を含む携帯電話機について説明したが、本発明は携帯電話機用の電源制御装置に限定されることはなく、本発明に係る電源制御装置はパーソナルハンディホンシステム（ＰＨＳ）の携帯機や携帯情報端末（ＰＤＡ）等を含む様々な電話端末に内蔵することができる。
【００３４】
（２）両実施の形態では、携帯電話機と充電器との接続が断たれたことを判定するために（ステップＳ１１等）、接続検出回路１１０が外部からの電圧印加が断たれたことを検出するようにしたが、この他に、携帯電話機側に物理的構造のスイッチを設けて、充電器と接続されている時と切断されている時とにおいて、この物理的構造のスイッチの状態が変化するようにしておき、このスイッチの状態の変化を検出することにより、携帯電話機と充電器との接続が断たれたこと即ち携帯電話機が充電器から取り外されたことを判定することとしてもよいし、いかなるセンサを利用して携帯電話機と充電器との接続が断たれたことを判定することとしてもよい。
【００３５】
（３）両実施の形態では、携帯電話機の充電に充電器を用いることとしたが、充電器は電力供給源であればよく、いわゆる電源コンセントであっても差し支えない。なお、携帯電話機外部から供給される電力を電池に充電するための機構は、どのように構成されていてもよい。
（４）両実施の形態では特に示さなかったが、電源オフ状態である場合において充電器との接続が断たれた場合に自動電源オン機能が働き得るように携帯電話機が構成されていればよく、例えば、充電中においては電源オフ状態であるか否かについて判定し、電源オフ状態である場合においてのみ図３或いは図６に示した電源制御処理が行われるようにしてもよいし、図３のステップＳ１２の直前或いは図６のステップＳ２２の直前に電源オフ状態であるかを判定して電源オフ状態でなければ電源制御処理を終了するようにしてもよい。
【００３６】
（５）実施の形態１では、携帯電話機１００が設定情報に基づいて自動電源オン機能を使用するか否かの判定を行うこととしたが、設定情報を不要とし、無条件に自動電源オン機能を使用することとしてもよい。図７は、この場合に携帯電話機１００が行う電源制御処理を示すフローチャートである。これによれば、携帯電話機１００が充電器２００から取り外されるのみで（ステップＳ３１）、電源オン処理（ステップＳ３２）が行われるようになる。なお、ステップＳ３２は実施の形態１で示したステップＳ１３と同等内容の処理である。
【００３７】
（６）実施の形態１では、自動電源オン機能を使用する旨がユーザによって設定されていた場合には携帯電話機と充電器との接続が断たれると電源オン状態にすることとしたが、充電との接続が断たれるという条件に、充電により電池１２１の電圧が予め定めた閾値以上になっているという条件を加えて、この両方の条件が満たされた場合にのみ電源オン処理を行うこととしてもよい。
【００３８】
（７）実施の形態２では、電圧印加の停止からフリップを開くまでの制限時間は３０秒としたが、これは例示にすぎず、１０秒や６０秒等としてもよい。また、フリップを開くまでの制限時間を予めユーザに指定させるようにしてもよい。この制限時間の指定のユーザインタフェースとしては、例えば、図２に示したような表示画面に、制限時間のデフォルト値を追加して表示し、ユーザがその制限時間の値をキー操作によって変更できるようにする方式等が考えられる。
【００３９】
（８）実施の形態２では、携帯電話機と充電器との接続が断たれた後一定時間内にフリップが開けられた場合に限り電源オン状態にする例を示したが、充電器との接続が断たれた後一定時間内にフリップの開閉操作がなされた場合には、閉じた状態から開いた状態にされた場合のみならず開いた状態から閉じた状態にされた場合にも電源オン状態にすることとしてもよい。なお、ここでいうフリップの開閉は、携帯電話機本体が２つ折りになる形状のものである場合には、その本体の開閉であることとしてもよい。
【００４０】
（９）両実施の形態で示した受信システムにおける受信端末装置の処理手順（図３、図６に示した手順等）を、プログラム実行機能を備えた電話端末に実行させるための制御プログラム（コンピュータプログラム）を、記録媒体に記録し又は各種通信路等を介して、流通させ頒布することもできる。このような記録媒体には、ＲＯＭ、ＩＣカード、光ディスク、フレキシブルディスク等がある。流通、頒布されたコンピュータプログラムは、電話端末にインストール等されることにより利用に供され、その電話端末は当該コンピュータプログラムを実行して、両実施の形態で示したような動作を実行することができるようになる。
【００４１】
【発明の効果】
以上の説明から明らかなように、本発明に係る充電式電話端末の電源制御装置は、外部からの充電式電話端末への電圧印加が断たれたことを検知する検知手段と、前記検知手段により前記検知がなされた場合に前記充電式電話端末を電源オン状態にする電源オン手段とを備えることを特徴とする。
【００４２】
これにより、充電式電話端末が充電器等の電力供給源から取り外される等により電圧印加が行われなくなった後、即ち電力の供給を受けなくなった後に、ユーザが電源スイッチをオンにする操作を行わなくても電源制御装置が充電式電話端末を電源オン状態にするため、ユーザは煩わしい操作をすることなく充電器等から充電式電話端末を取り外すだけで充電式電話端末の着信を待つ機能等を利用できるようになる。
【００４３】
ここで、前記充電式電話端末は開閉可能な形状を備えるものであり、前記電源制御装置は、前記充電式電話端末の開閉状態が変化したことを検出する開閉変化検出手段を備え、前記電源オン手段は、前記検知手段により前記検知がなされた時から所定時間が経過するまでの間に前記開閉変化検出手段により開閉状態の変化が検出されたときに限り前記充電式電話端末を電源オン状態にすることとしてもよい。
【００４４】
これにより、充電式電話端末が充電器等の電力供給源からユーザによって取り外されたのではなく他の原因によって充電式電話端末への電圧印加が停止した場合に電源オン状態になることを防止できるようになる。
また、本発明に係る充電式電話端末の電源制御装置は、充電式電話端末が充電器から取り外されたことを検知する検知手段と、前記検知手段により前記検知がなされた場合に前記充電式電話端末を電源オン状態にする電源オン手段とを備えることを特徴とする。
【００４５】
これにより、充電式電話端末が充電器から取り外された後に、電源制御装置が充電式電話端末を電源オン状態にするため、ユーザは煩わしい操作をすることなく充電式電話端末の着信を待つ機能等を利用できるようになる。
また、前記電源オン手段は、前記充電式電話端末に内蔵される電池の電圧が所定値以上に充電されている場合に限り前記充電式電話端末を電源オン状態にすることとしてもよい。
【００４６】
これにより、充電式電話端末がある程度充電された後に充電器から取り外された場合にのみ電源オン状態になるので、例えば充電式電話端末と充電器とがコネクタにより接続されている場合において充電完了前にコネクタが偶然外れてしまったとき等に、電源オン状態になることを防止できるようになる。
また、前記電源制御装置は、不揮発性メモリと、電源オン制御機能を使用するか否かを示す設定情報のユーザによる入力を受け付けて当該設定情報を前記不揮発性メモリに格納する設定情報登録手段とを備え、前記電源オン手段は、前記不揮発性メモリに格納されている設定情報が電源オン制御機能を使用する旨を示すときに限り前記充電式電話端末を電源オン状態にすることとしてもよい。
【００４７】
これにより、ユーザが自動電源オン機能を利用するか否かを指定することができるようになる。
また、前記充電式電話端末は、充電式携帯電話機であり、前記電源制御装置は、前記充電式携帯電話機に内蔵されることとしてもよい。
これにより、充電式携帯電話機のユーザが、電源スイッチをオフにしてその充電式携帯電話機を充電器に接続して充電した後に充電器から取り外すのみで、その充電式携帯電話機が電源オン状態になり得るため、ユーザは電源スイッチをオンにする操作を省略して通話等を行うことができるようになる。
【図面の簡単な説明】
【図１】本発明の実施の形態１に係る携帯電話機１００の機能ブロック図である。
【図２】設定登録部１４２によりＬＣＤ１７０に表示される画面の例を示す図である。
【図３】携帯電話機１００の行う電源制御処理を示すフローチャートである。
【図４】本発明の実施の形態２に係る携帯電話機６００の自動電源オン機能を説明するための図である。
【図５】本発明の実施の形態２に係る携帯電話機６００の機能ブロック図である。
【図６】携帯電話機６００の行う電源制御処理を示すフローチャートである。
【図７】携帯電話機１００が行う電源制御処理の変形例を示すフローチャートである。
【符号の説明】
１００，６００  携帯電話機
１１０          接続検出回路
１２０          電源回路
１２１          電池
１３０，６３０  制御部
１３１          充電処理部
１３２，６３２  電源制御部
１３３          設定情報格納部
１４０          基本処理部
１４１          通信制御部
１４２          設定登録部
１５０          送受信回路
１６０          キー処理回路
１７０          ＬＣＤ
２００          充電器
６８０          計時回路
６９０          開閉検出部
【図１】
0003869683.tif 000002
【図２】
0003869683.tif 000003
【図３】
0003869683.tif 000004
【図４】
0003869683.tif 000005
【図５】
0003869683.tif 000006
【図６】
0003869683.tif 000007
【図７】
0003869683.tif 000008